(57)【要約】      （修正有）【課題】複数のポケットティッシュを整理よく収納できながらも、１枚ずつティッシュ片を容易に取り出すことが可能で、かつ未開封のポケットティッシュを容易に引き出すことのできるポケットティッシュ収納容器を提供する。【解決手段】ポケットティッシュ収納容器６であって、底板１及び該底板から起立する周囲板２１、２２で囲まれた収納空間を有し、該収納空間にポケットティッシュ５１を収納する容器本体と、収納空間内に上下動可能に配置されて、収納された最上段のポケットティッシュ５１の上面に載置される蓋とを具備し、周囲板の底部には、最下段のポケットティッシュ５１を引き出すことのできる引出口４０が設けられており、蓋の中央部には、最上段のポケットティッシュ５１からティッシュ片５０を取り出すためのティッシュ片取出口３３が設けられていることを特徴とする。【選択図】図４
0003206075.tif 000002
【実用新案登録請求の範囲】
【請求項１】
袋体に複数枚のティッシュ片を収容するとともに、該袋体から前記ティッシュ片を一枚ずつ取り出せるように構成されたポケットティッシュを収納するポケットティッシュ収納容器であって、
底板及び該底板から起立する周囲板で囲まれた上部の開口する収納空間を有し、該収納空間に上部開口から挿入されたポケットティッシュを上下に積み重ねて収納する容器本体と、
前記収納空間内に上下動可能に配置されて、収納された最上段のポケットティッシュの上面に載置される蓋とを具備し、
前記周囲板の底部には、最下段のポケットティッシュを引き出すことのできる引出口が設けられており、
前記蓋の中央部には、最上段のポケットティッシュからティッシュ片を取り出すためのティッシュ片取出口が設けられていることを特徴とするポケットティッシュ収納容器。
【請求項２】
前記蓋が、前記上板と、該上板の辺から垂下するように設けられて、前記周囲板に対向する垂下板を具備するものであることを特徴とする請求項１記載のポケットティッシュ収納容器。
【請求項３】
前記垂下板が、前記上板において前記引出口に対向する辺を除く辺の一部または全部から垂下させてあることを特徴とする請求項２記載のポケットティッシュ収納容器。
【請求項４】
前記引出口の高さが、ポケットティッシュ２個未満の高さであることを特徴とする請求項１、２または３記載のポケットティッシュ収納容器。
【請求項５】
前記周囲板に、前記引出口の上辺から上に延び、指を差入れることができる指差入切込みが設けられていることを特徴とする請求項４記載のポケットティッシュ収納容器。
【請求項６】
前記蓋の上板の辺から、中央部にある前記取出口に向けて、前記指差込切込みの幅と同じ幅以上の切れ目が設けられていることを特徴とする請求項５記載のポケットティッシュ収納容器。
【請求項７】
前記容器本体は、前記底板の平面から見た形状がポケットティッシュを平面から見た形状と略同形の長方形であって、前記周囲板は該底板の各辺から起立する四面であることを特徴とする請求項１、２、３、４、５又は６記載のポケットティッシュ収納容器。
【請求項８】
前記周囲板に、該周囲板の上辺から容器本体の底辺部に向かって、所定の幅の切込みが設けられていることを特徴とする請求項７記載のポケットティッシュ収納容器。
【考案の詳細な説明】
【技術分野】
【０００１】
本考案は、複数のポケットティッシュの収納と使用に関するものである。
【背景技術】
【０００２】
従来、家庭において、ポケットティッシュが多数たまって整頓が必要になったときなどには、箱に詰めて一カ所にまとめるといったことが行われている。
しかしながら、このようなやり方では、確かに整頓はできるものの使い勝手が悪い。例えば、据え置きタイプの箱ティッシュのように、１枚だけティッシュ片を取り出すことができない。その場合は、いちいち箱を開けてポケットティッシュを取り出し、さらにそのポケットティッシュからティッシュ片を取り出さなければならないうえ、その後、取り出したポケットティッシュを、再度箱にしまわなければならない。
また、例えば、持ち運び用に未開封のポケットティッシュが必要なときには、この未開封のポケットティッシュを箱から探さなければならない。
【０００３】
これに対し、特許文献１に示すように、複数のポケットティッシュを収容可能で、かつ箱ティッシュのように、１枚ずつティッシュ片を取り出すことのできる容器が提案されている。該容器はポケットティッシュを収納する本体と、取出口を有し該容器本体上部に固定された蓋からなる。
【０００４】
ところが、この収納容器では、容器内のポケットティッシュの残量が少なくなった場合に、前記蓋が固定されているので、取出口に指を挿入してティッシュ片を取り出しにくく、蓋を外す必要がある。また、一旦収納したポケットティッシュのうち未開封のものを容器から引き出すためには、やはり蓋を外して、下段のポケットティッシュを引っ張り出さなければならない。
【０００５】
つまり、このようなものでは、確かに複数のポケットティッシュを整理よく収納できるものの、結局、使い勝手が悪いという問題を根本的に解決できない。
【先行技術文献】
【特許文献】
【０００６】
【特許文献１】実登３１４６２９６
【考案の概要】
【考案が解決しようとする課題】
【０００７】
そこで本考案は、複数のポケットティッシュを整理よく収納できながらも、箱ティッシュのように１枚ずつティッシュ片を容易に取り出すことが可能で、かつ未開封のポケットティッシュを探すことなく、容易に引き出すことのできるポケットティッシュ収納容器を提供することである。
【課題を解決するための手段】
【０００８】
袋体に複数枚のティッシュ片を収容するとともに、該袋体から前記ティッシュ片を一枚ずつ取り出せるように構成されたポケットティッシュを収納するポケットティッシュ収納容器であって、
底板及び該底板から起立する周囲板で囲まれた上部の開口する収納空間を有し、該収納空間に上部開口から挿入されたポケットティッシュを上下に積み重ねて収納する容器本体と、
前記収納空間内に上下動可能に配置されて、収納された最上段のポケットティッシュの上面に載置される蓋とを具備し、
前記周囲板の底部には、最下段のポケットティッシュを引き出すことのできる引出口が設けられており、
前記蓋の中央部には、最上段のポケットティッシュからティッシュ片を取り出すためのティッシュ片取出口が設けられていることを特徴とするポケットティッシュ収納容器。
【０００９】
この構成によれば、ポケットティッシュを上下方向に積み重ねて、整然と収納できるのは当然のことながら、前記蓋が収納空間内の最上段のポケットティッシュに載置されており、その重みでポケットティッシュを押さえつけているので、該ポケットティッシュを浮き上がらせることなく、そこからティッシュ片を１枚１枚、あたかも箱ティッシュのような使い勝手で、容易に取り出すことができる。
また、上述したように、ティッシュ片が取り出された使用済みのポケットティッシュは、（途中で入れ替えるなどしない限り）最上段にあり、逆に言えば、それ以外の下段のポケットティッシュは常に未開封のものとなる。そして、本発明によれば、最下段にあって未開封のポケットティッシュを引き出すための引出口が設けられているので、未開封のポケットティッシュを探すことなく、容易に引き出すこともできる。
さらに、ポケットティッシュが引き出されることによって、収納空間に積み重ねられたポケットティッシュが減って高さが低くなるが、前記蓋は上下動可能に配置されており、その高さ変動に関わらず、最上段のポケットティッシュの上面に常に載置されてこれを押さえつけているので、ポケットティッシュが引き出されて高さが低くなっても、ティッシュ片を１枚１枚取り出すことに齟齬が生じない。
【００１０】
前記蓋が、前記上板と、該上板の辺から垂下するように設けられて、前記周囲板に対向する前記垂下板を具備するものであることが望ましい。
最上段のポケットティッシュからティッシュ片を取り出す際、蓋が持ちあげられようとするが、このようなものであれば、その際、蓋が少しでも傾けば、垂下板が容器本体の周囲板に接触してそれ以上に蓋が持ち上げられることを抑制するので、蓋の重量のみで押さえる態様に比べ、より安定的に最上段のポケットティッシュを押さえつけておくことができる。したがって、ティッシュ片を取り出そうとした際、最上段のポケットティッシュごと蓋までもが持ち上げられて、ティッシュ片を取り出せないといった不測の事態をより確実に回避することができる。
【００１１】
前記垂下板が、前記上板において前記引出口に対向する面には設けられていないことが望ましい。
この構成によれば、垂下板によって引出口が塞がれることなく、ポケットティッシュを引き出すことができる。
【００１２】
前記引出口の高さが、ポケットティッシュ２個未満の高さであることが望ましい。
この構成によれば、引出口の高さはポケットティッシュ２個未満の高さなので、周囲板により引き出そうとする最下段のポケットティッシュ以外のポケットティッシュが押さえられて、最下段のポケットティッシュのみを確実に引出すことが出来る。
【００１３】
前記周囲板に、前記引出口上辺から上に延び、指を差入れることができる指差入切込みが設けられていることが望ましい。
前記引出口からポケットティッシュを引き出す場合、該引出口に２本の指を差入れて、上下からポケットティッシュをつまむと引き出しやすい。
しかし、該引出口においては高さがポケットティッシュ２個未満の高さであり、２本の指を差入れることが困難である。
この構成によれば、前記指差入切込みが設けられてあるので、該指差入切込みから指を差入れて、ポケットティッシュの端をつまんで引き出すことができる。
【００１４】
前記蓋の前記上板の辺から、中央部にある前記取出口に向けて、前記指差込切込みの幅と同じ幅以上の切れ目が設けられていることが望ましい。
前記引出口からポケットティッシュを引出す場合、前記のように２本の指でポケットティッシュを上下からつまむと引出しやすい。
しかし、収納空間内のポケットティッシュが減ってくると載置された蓋の高さが下がってくる。最下段まで下がると、蓋があることによりポケットティッシュを上側からつまむことができなくなる。
この構成によれば、前記指差入切込みと同じ幅以上の切れ目が設けられているので、蓋に妨げられることなくポケットティッシュを上側からつまむことができる。
【００１５】
前記容器本体は、前記底板の平面から見た形状がポケットティッシュを平面から見た形状と略同形の長方形であって、前記周囲板は該底板の各辺から直角に起立する四面であることが望ましい。
この構成によれば、本ポケットティッシュ収納容器の形状は様々な形状が想定されるが、直方体なので、最もコンパクトにできるし、構造的にも製造的にも有利になる。
【００１６】
前記周囲板に、該周囲板の上辺から収納容器本体の底辺部に向かって、所定の幅の切込みが設けられていることが望ましい。
複数のティッシュを積み重ねて、一度に収納容器本体に入れようとした場合、手が該周囲板にあたって入れにくい場合がある。
これを上手く回避するためには、該周囲板に所定幅の切込み、即ち指や手が入る程度の幅の切込みを設ければ、回避できる。
更に、該収納容器本体のポケットティッシュが少なくなると、前記蓋が収納容器本体の底部まで下がってくる。この場合、ティッシュ片を取り出そうとすると容器本体の上部開口から手や指を入れて取り出すこととなる。前記所定幅の切込みが設けられていれば、前記周囲板に手や指があたることがなく、ティッシュ片を取り出しやすくなる。
【考案の効果】
【００１７】
本考案によれば、複数のポケットティッシュを整理よく収納できながらも、箱ティッシュのように１枚ずつティッシュ片を容易に取り出すことが可能で、かつ未開封のポケットティッシュを探すことなく、容易に引き出すことができる。
【図面の簡単な説明】
【００１８】
【図１】本考案の一実施形態におけるポケットティッシュ収納容器の容器本体を示す図。
【図２】同実施形態におけるポケットティッシュ収納容器の容器本体を引出口が設けられている側面を示す図。
【図３】同実施形態におけるポケットティッシュ収納容器の容器本体と蓋を示す図。
【図４】同実施形態におけるポケットティッシュ収納容器の使用図。
【図５】変形実施形態におけるポケットティッシュ収納容器の使用図。
【考案を実施するための形態】
【００１９】
本考案の一実施形態について図面を参照して説明する。
【００２０】
図３に示すように、本実施形態に係るポケットティッシュ収納容器６は、底板１と該底板１から起立する一対の長手周囲板２１と二面の短手周囲板２２に囲まれた収納空間２４からなる容器本体２０と、蓋３０とを具備する。
図４に示すように、前記ポケットティッシュ収納容器６に収納されるポケットティッシュ５１は、袋体５２に複数枚のティッシュ片５０を収容するとともに、袋体５２からティッシュ片５０を一枚ずつ取り出せるように構成されたものである。
【００２１】
先ず、前記容器本体２０について説明する。
【００２２】
図１に示すように、前記収納容器本体２０は底板１と該底板１の各辺から起立する一対の長手周囲板２１と二面の短手周囲板２２に囲まれた収納空間２４を具備している。
【００２３】
前記底板１の形状は長方形の平板である。各辺から直角に起立する一対の長手周囲板２１と二面の短手周囲板２２いずれも長方形の平板である。
【００２４】
前記収納空間２４の形状は上部が開口する直方体となる。そして図４に示すように、収納空間２４の容積は１０個未満の長方形のポケットティッシュ５１を上下に積み重ねて収納することができる。
【００２５】
前記一対の長手周囲板２１には、該長手周囲板２１の上辺から容器本体２０の底辺部に向かって、該長手周囲板２１の深さ全体の約５分の４の深さで、略逆台形の形状の切込み２３が設けられている。該逆台形上辺の幅は該長手周囲板２１の上辺全体の約５分の４の幅で、該逆台形下辺の幅は該長手周囲板２１の上辺全体の半分の幅である。
【００２６】
二面の短手周囲板２２の一面の底部には、図２に示すように、収納空間２４の最下段のポケットティッシュ５１を引き出すことのできる引出口４０が設けられている。該引出口４０はポケットティッシュ５１の１個分の高さの長方形形状をしておる。前記構成により該短手周囲板２２下辺から引出口上辺４１まで開口している。
【００２７】
前記引出口上辺４１の前記短手周囲板２２には該上辺４１から上に延びる指差入切込み２２が設けられている。該指差入切込み２５は該上辺の中央に位置し、該上辺全体の約３分の１の幅の半円形をしている。なお、該指差入切込み２５が設けられているのは中央でなくても構わない。
【００２８】
次に、前記蓋３０について説明する。
【００２９】
図３に示すように、前記蓋３０は上板３１と該上板３１の辺から垂下する垂下板３２を具備している。また上板の中央部には取出口３３が設けられている。さらに該上板３１の一片の短手辺から該取出口３３に向かって切れ目３４が設けられている。
【００３０】
前記上板３０の形状は、底板１の形状を小さくした長方形であるが、図４に示すように蓋３０が載置されるポケットティッシュ５１の辺部を押さえられる大きさである。
【００３１】
前記垂下板３２の形状は長方形である。前記上板３１の長手辺から収納容器本体２４底部に向かって直角に垂下している。該上板３１の上辺からポケットティッシュ５１の１個分の深さである。また該垂下板３２は前記引出口４に対向する面には設けられていない。
【００３２】
前記取出口３３の形状は前記上板３１を小さくした略長方形である。前記上板３１の長手幅全体の約５分の４の幅と短手幅全体の約４分の３の幅である。
【００３３】
前記切れ目３４は前記指差入切込み２５の幅と概ね同じ幅である。
【００３４】
本ポケットティッシュ収納容器６の使用方法は以下の方法による。
【００３５】
先ず、図３に示したように蓋３０を取り外し、前記収納空間２４に複数のポケットティッシュ５１を収納する。
【００３６】
次に、前記複数のポケットティッシュ５１収納後、前記蓋３０を上下に積み重ねたポケットティッシュ５１の最上段ポケットティッシュ５１に載置する（図４参照）。
【００３７】
ティッシュ片５０を取り出す場合には取出口３３から取出す（図４参照）。
【００３８】
ポケットティッシュ５１を引き出す場合には引出口４０に指を差入れ、ポケットティッシュ５１をつまんで引き出す（図４参照）。
【００３９】
上記の構成により、ポケットティッシュ５１を上下に積み重ねて、整然と収納できるのは当然ながら、前記蓋３０が収納空間２４内の最上段のポケットティッシュ５１に載置されており、その重みでポケットティッシュ５１が押さえられるので、該ポケットティッシュ５１を浮き上がらせることなく、取出口３３からティッシュ片５０を１枚１枚、箱ティッシュのように容易に取り出せる。
【００４０】
前記のようにティッシュ片５０が取り出された使用済みのポケットティッシュ５１は、入れ替えない限り最上段にあり、逆に言えば、それ以外のポケットティッシュ５１は未開封のものとなる。そして、本考案では、前記引出口４０が設けられているので、未開封のポケットティッシュ５１を探すことなく容易に引き出すことができる。
【００４１】
更にポケットティッシュ５１が引き出されることによって、収納空間２４に上下に積み重ねられたポケットティッシュ５１が減り高さが低くなるが、前記蓋３０が上下動可能に配置されていて、その高さにかかわらず、最上段のポケットティッシュ５１の上面に常に載置されてこれを押さえつけているので、ポケットティッシュ５１が引き出されて高さが低くなっても、ティッシュ片５０を１枚１枚取り出すことに齟齬は生じない。
【００４２】
前記底板１の形状を長方形とし、その各辺から底板１と該底板１から直角に起立する一対の長手周囲板２１と二面の短手周囲板２２に囲まれた収納空間２４の形状を直方体としたのでポケットティッシュ収納容器６としてコンパクトな形状を実現する。また構造的にも製造的にも有利になる。
【００４３】
複数のポケットティッシュ５１を積み重ねて、一度に収納する場合、手が前記手周囲板２１にあたって入れにくい場合がある。前記切込み２３が設けられているので、手や指が長手周囲板２１にあたることを回避できる。
更に、前記収納容器本体のポケットティッシュが少なくなると、前記蓋が収納容器本体の底部まで下がってくる。この場合、容器本体の上部開口から手を入れてティッシュ片を取り出すこととなるので、前記所定幅の切込みを設けておけば、ティッシュ片を取り出しやすくなる。
【００４４】
前記引出口４０の高さをポケットティッシュ５１の２個以上の高さとした場合、引き出そうとする最下段のポケットティッシュ５１につられて、その上にあるポケットティッシュ５１が引き出されかねない。該引出口４０の高さをポケットティッシュ５１の１個分の高さという構成によれば、最下段のポケットティッシュ５１の上にあるポケットティッシュ５１が前記引出口上辺４１の前記短手周囲板２２に押さえられるので、最下段のポケットティッシュ５１のみを確実に取り出すことができる。なお、高さはポケットティッシュ５１の２個未満の高さであれば１個分の高さでなくても構わない。
【００４５】
ポケットティッシュ５１を前記引出口４０から引き出す場合、該引出口４０に２本の指を差入れて上下からポケットティッシュ５１をつまむと引き出しやすい。しかし、上述のように引出口４０の高さがポケットティッシュ５１の２個未満の高さであるため２本指を差入れることが困難である。そこで前記引出口上辺４１の前記短手周囲板２２に前記指差入切込み２５が設けられているので、該指差入切込み２５から指を差入れて容易にポケットティッシュ５１をつまんで引き出すことができる。
【００４６】
最上段のポケットティッシュ５１からティッシュ片５０を取り出す際、前記蓋３０が持ち上げられようとするが、垂下板３２が設けられているので、少しでも該蓋３０が傾けば、該垂下板３２が容器本体の前記長手周囲板２１に接触してそれ以上に持ち上げられるのを抑制する。この構成によれば、蓋３０の重量のみで押さえる態様に比べ、より安定的に最上段のポケットティッシュ５１を押さえつけておくことができる。従ってティッシュ片５０を取り出そうとした際、最上段のポケットティッシュ５１ごと蓋３０までもが持ち上げられて、ティッシュ片５０を取り出せないといった不測の事態をより確実に回避することができる。
【００４７】
前記垂下板３２を前記上板３１のすべての辺に設けると、収納空間２４内のポケットティッシュ５１が減って蓋３０が底辺部に下がってきた際に、垂下板３２が前記引出口４０を塞ぎ、該引出口４０からポケットティッシュ５１を引出すことができなくなるため、該垂下板３２は該引出口４０に対応する辺には設けられていない。
【００４８】
前述したように、ポケットティッシュ５１を前記引出口４０から引き出すには、該引出口４０に２本指を差入れてつまんで引き出すと容易である。しかし、収納空間２４内のポケットティッシュ５１が減って、前記蓋３０が下がってくると、蓋３０がポケットティッシュ５１の上に載置されているため、ポケットティッシュ５１を上からつまむことができない。そこで該蓋３０に前記切れ目３４が設けられているので、該蓋３０にかかわらず、ポケットティッシュ５１をつまんで引き出しやすくなる。
【００４９】
なお、本考案は前記実施形態に限られるものではない。
【００５０】
たとえば、前記実施形態では底板１の形状を長方形とし、該底板１各辺から直角に起立する一対の長手周囲板２１と二面の短手周囲板２２の４面の周囲板に囲まれた上部の開口する収納空間２４の形状を直方体としていたが、ポケットティッシュ５１を支持して上下に積み重ねることができるものであれば、底板１の形状を円形とし、該底板の辺から直角に起立する周囲板に囲まれた収納空間の形状を円柱状としてもかまわない（図５参照）。
【００５１】
また、前記実施形態では取出口３３の形状を長方形としたが、ティッシュ片を取り出せる形状であればよく、デザインや販売促進の観点から形状を変更することはかまわない（図５参照）。
【００５２】
さらに、前記実施形態では短手周囲板２２の底辺に引出口４０を設けたが、長手周囲板２１に該引出口を設けることも可能である。このような構成によれば、よりポケットティッシュが引き出しやすくなる。
【００５３】
加えて、前記実施形態では一対の長手周囲板２１に略逆台形上の切込み２３を設けたが、該切込み２３の形状は手や指が入る程度の幅があればよく、実施例の形状に限定されるものではない。
【００５４】
その他本考案は前記実施形態に限られず、その趣旨を逸脱しない範囲で種々変形が可能である。例えば、材質はアクリル、紙、木などに限定されることなく様々なものが適用される。
【符号の説明】
【００５５】
１  ・・・底板
２０・・・収納容器本体
２１・・・長手周囲板
２２・・・短手周囲板
２３・・・切込み
２４・・・収納空間
２５・・・指差入切込み
３０・・・蓋
３１・・・上板
３２・・・垂下板
３３・・・取出口
３４・・・切れ目
４０・・・引出口
４１・・・引出口上辺
５０・・・ティッシュ片
５１・・・ポケットティッシュ
５２・・・袋体
６  ・・・ポケットティッシュ収納容器
【図１】
0003206075.tif 000003
【図２】
0003206075.tif 000004
【図３】
0003206075.tif 000005
【図４】
0003206075.tif 000006
【図５】
0003206075.tif 000007
【手続補正書】
【提出日】平成28年6月28日(2016.6.28)
【手続補正１】
【補正対象書類名】実用新案登録請求の範囲
【補正対象項目名】全文
【補正方法】変更
【補正の内容】
【実用新案登録請求の範囲】
【請求項１】
袋体に複数枚のティッシュ片を収容するとともに、該袋体から前記ティッシュ片を一枚ずつ取り出せるように構成されたポケットティッシュを収納するポケットティッシュ収納容器であって、
底板及び該底板から起立する周囲板で囲まれた上部の開口する収納空間を有し、該収納空間に上部開口から挿入されたポケットティッシュを上下に積み重ねて収納する容器本体と、
前記収納空間内に上下動可能に配置されて、収納された最上段のポケットティッシュの上面に載置される蓋とを具備し、
前記周囲板の底部には、最下段のポケットティッシュを引き出すことのできる引出口が設けられており、
前記蓋の中央部には、最上段のポケットティッシュからティッシュ片を取り出すためのティッシュ片取出口が設けられていることを特徴とするポケットティッシュ収納容器。
【請求項２】
前記蓋が、上板と、該上板の辺から垂下するように設けられて、前記周囲板に対向する垂下板を具備するものであることを特徴とする請求項１記載のポケットティッシュ収納容器。
【請求項３】
前記垂下板が、前記上板において前記引出口に対向する辺を除く辺の一部または全部から垂下させてあることを特徴とする請求項２記載のポケットティッシュ収納容器。
【請求項４】
前記引出口の高さが、ポケットティッシュ２個未満の高さであることを特徴とする請求項１、２または３記載のポケットティッシュ収納容器。
【請求項５】
前記周囲板に、前記引出口の上辺から上に延び、指を差入れることができる指差入切込みが設けられていることを特徴とする請求項４記載のポケットティッシュ収納容器。
【請求項６】
前記蓋の上板の辺から、中央部にある前記取出口に向けて、前記指差入切込みの幅と同じ幅以上の切れ目が設けられていることを特徴とする請求項５記載のポケットティッシュ収納容器。
【請求項７】
前記容器本体は、前記底板の平面から見た形状がポケットティッシュを平面から見た形状と略同形の長方形であって、前記周囲板は該底板の各辺から起立する四面であることを特徴とする請求項１、２、３、４、５又は６記載のポケットティッシュ収納容器。
【請求項８】
前記周囲板に、該周囲板の上辺から容器本体の底辺部に向かって、所定の幅の切込みが設けられていることを特徴とする請求項７記載のポケットティッシュ収納容器。
【手続補正２】
【補正対象書類名】明細書
【補正対象項目名】００１０
【補正方法】変更
【補正の内容】
【００１０】
前記蓋が、上板と、該上板の辺から垂下するように設けられて、前記周囲板に対向する前記垂下板を具備するものであることが望ましい。
最上段のポケットティッシュからティッシュ片を取り出す際、蓋が持ちあげられようとするが、このようなものであれば、その際、蓋が少しでも傾けば、垂下板が容器本体の周囲板に接触してそれ以上に蓋が持ち上げられることを抑制するので、蓋の重量のみで押さえる態様に比べ、より安定的に最上段のポケットティッシュを押さえつけておくことができる。したがって、ティッシュ片を取り出そうとした際、最上段のポケットティッシュごと蓋までもが持ち上げられて、ティッシュ片を取り出せないといった不測の事態をより確実に回避することができる。
【手続補正３】
【補正対象書類名】明細書
【補正対象項目名】００１４
【補正方法】変更
【補正の内容】
【００１４】
前記蓋の前記上板の辺から、中央部にある前記取出口に向けて、前記指差入切込みの幅と同じ幅以上の切れ目が設けられていることが望ましい。
前記引出口からポケットティッシュを引出す場合、前記のように２本の指でポケットティッシュを上下からつまむと引出しやすい。
しかし、収納空間内のポケットティッシュが減ってくると載置された蓋の高さが下がってくる。最下段まで下がると、蓋があることによりポケットティッシュを上側からつまむことができなくなる。
この構成によれば、前記指差入切込みと同じ幅以上の切れ目が設けられているので、蓋に妨げられることなくポケットティッシュを上側からつまむことができる。